(57)【要約】      （修正有）【課題】高い適応性を有し、拡張性の高いネットワーク電源制御モジュールを提供する。【解決手段】切り換えスイッチ２０が、第１外部電源１３と電子機器１２とを電気的に接続し、プロセッサー２２が通信モジュール２２１を内蔵し、エリア内のルータを介して、遠隔地の制御装置と電気的に接続しておき、制御信号を受信して切り換えスイッチの切り替えを行い、第１外部電源からの電圧の電子機器への出力または出力の中止を制御する。これにより、使用者は複雑なネットワーク構成を設定する必要なく、遠隔地の装置を制御し家庭用装置のスケジュール管理を容易に行うことができ、家庭生活の快適性と安全性を向上できる。【選択図】図１
0003186184.tif 000002
【実用新案登録請求の範囲】
【請求項１】
エリア内の少なくとも一つの電子機器に取り付けて、前記エリアのルータを介して遠隔地の制御装置と電気的に接続し、前記制御装置が伝送する制御信号の受信によって、前記電子機器の稼働状態の制御を行う、ネットワーク電源制御モジュールであって、
第１外部電源及び前記電子機器に電器的に接続する切り替えスイッチと、
前記第１外部電源と電気的に接続することによって、前記第１外部電源の交流電圧を直流電圧の稼働電圧に変換する電源供給装置と、
前記切り換えスイッチ及び前記電源供給装置に電気的に接続して前記稼働電圧を取得し、通信モジュールを内蔵し、稼働する場合は無線ネットワークまたはイーサーネット経由で自動的に前記ルータに接続して、ＩＰ（Internet Protocol）アドレスを自動的に取得でき、ＵＡＲＴ（Universal Asynchronous Receiver/Transmitter）インタフェース、ＵＳＢ（Universal Serial Bus）インタフェース、オーディオインタフェース及びＶｏＩＰ（Voice over Internet Protocol）機能のうち少なくとも一つをサポートしており、前記通信モジュールを介して制御信号を受信すると、当該制御信号を分析して作動リクエスト及び作動データを生成し、前記切り換えスイッチをトリガして、前記作動リクエストに従って、前記第１外部電源が前記電子機器に供給する電源のオンまたはオフの切り換えを制御するか、または前記作動リクエストに従って、前記ＵＡＲＴインタフェース、前記ＵＳＢインタフェース、前記オーディオインタフェース及び前記ＶｏＩＰ機能のいずれかを介して、前記作動データを実行するプロセッサと、
を備えるネットワーク電源制御モジュール
【請求項２】
前記通信モジュールは無線アクセスポイントの機能を有し、ＷＰＳ（Wi-Fi Protected Setup）とＤＨＣＰ（Dynamic Host Configuration Protocol）のうち少なくとも一つの機能をサポートし、エリア内の無線ネットワーク範囲を拡張することを特徴とする、請求項１記載のネットワーク電源制御モジュール。
【請求項３】
前記電子機器が複数存在しグループ制御される場合、前記通信モジュールは複数内蔵され、前記通信モジュールのうち一つは、グループリストを内蔵し、他の前記通信モジュールから送られた検索信号を受信したときは、前記グループリストを参照して確認信号をフィードバックし、前記他の通信モジュールに自動的に接続して、同じグループにある全ての前記制御装置の稼働状態を一括で読み出すことを特徴とする、請求項２記載のネットワーク電源制御モジュール。
【請求項４】
交直流変換器と、電気供給スイッチとをさらに備え、
前記交直流変換器が前記第１外部電源と電気的に接続し、前記第１外部電源の交流電圧を直流電圧に変換させ、前記電気供給スイッチの一端を前記交直流変換器に電気的に接続し、トリガ端を前記プロセッサと電気的に接続しておき、前記プロセッサが前記電気供給スイッチの切り替えの作動リクエストを受信したときに、前記電気供給スイッチの他端より直流電圧の出力または出力中止が実行されることを特徴とする、請求項１記載のネットワーク電源制御モジュール。
【請求項５】
前記電気供給スイッチの一端を外部電源変換装置に電気的に接続し、前記外部電源変換装置を第２外部電源に電気的に接続しておき、前記第２外部電源の電圧を直流電圧に変換することを特徴とする、請求項４記載のネットワーク電源制御モジュール。
【請求項６】
前記エリアにおいて、前記第１外部電源と前記電子機器との間には少なくとも一つの壁スイッチが設けられ、
前記切り替えスイッチがオフとなり、前記第１外部電源が前記電子機器へ電圧を出力するときに、前記壁スイッチを用いて、前記電子機器への電力供給状態を制御することを特徴とする、請求項４記載のネットワーク電源制御モジュール。
【請求項７】
前記エリアには、前記切り替えスイッチの両端部に設けられた少なくとも一つの壁スイッチが設けられ、
前記切り替えスイッチがオフとなり、前記第１外部電源が前記電子機器へ電圧を出力するときに、前記壁スイッチを用いて、前記電子機器への電力供給状態を制御することを特徴とする、請求項４記載のネットワーク電源制御モジュール。
【請求項８】
前記エリアにおいて、前記第１外部電源と前記電源供給装置との間には少なくとも一つの壁スイッチが設けられ、
前記切り替えスイッチがオフとなり、前記第１外部電源が前記電子機器へ電圧を出力するときに、前記壁スイッチを用いて、前記電子機器への電力供給状態を制御することを特徴とする、請求項４記載のネットワーク電源制御モジュール。
【考案の詳細な説明】
【技術分野】
【０００１】
本案は遠隔装置の制御に関し、特に単純構造でしかも多機能を有するネットワーク電源制御モジュールを外部電源と電子機器との間に設置しておくことで、使用者が携帯装置を用いて制御装置を制御することにより状況をリアルタイムに把握できるネットワーク電源制御モジュールに関する。
【背景技術】
【０００２】
空調機、テレビ及びオーディオなど家庭用電子機器を使用する際、使用者は、専用のリモコンまたは市販のユニバーサルリモコンとを組み合わせて、ワイヤレス方式でそれらを制御できる。しかし、リモコンの使用には距離の制限があるほか、ユニバーサルリモコンの設定が複雑で、しかも機能が少ないことからその実用性は限られている。さらに、通信技術の発展につれて、通信機能が統合された家庭用電子機器が次から次へと販売されており、使用者はネットワークまたは電話を通じてリモ―ト制御ができることから、前述の課題は解消される。一般的に、この種の情報家電製品のにはリモコンと、通信装置とが内蔵または付属されている。リモコンは通信装置を用いて有線または無線方式により、住宅に設置したルータに接続してネットワークに接続可能であると共に、使用者が相応の管理プロプログラムを携帯電話機、タブレットＰＣまたはＰＤＡなどの電子機器に導入することによって、使用者はネットワークを介してリモコンにアクセスすれば、遠隔地であっても家電製品状況の監視及び操作ができ、自宅に着いたときには電気照明または洗濯機あるいは電気炊飯器を自動的にオンしてくれるため、居住の安全性を向上できるほか、家事の処理を助けることができる。さらに、使用者が外出の後には家電製品の電源をオフに制御することで、火事その他の事故を防げると共に、省エネ効果を達成できる。
【考案の概要】
【考案が解決しようとする課題】
【０００３】
しかしながら、使用者が前述した管理システムを用いて、一つの家電製品を制御するには電子機器に相応のプログラムを導入しまたはアップデートすることが必要である。さらに、情報家電製品のモデルとメーカーは多くあり、一つの管理プログラムが一つのモデルまたはメーカーにしか利用できない場合は、使用者によるプログラム導入が煩雑のほか、その後の管理ならび使用に不便をきたして使用の意欲を損なうばかりでなく、製品に対する満足度も低下する。
【０００４】
このため、本案が解決しようとする課題は、リモコンと通信装置とを一つの独立した制御モジュールに統合しておき、使用者が管理したい情報家電製品に組み込みんで提供し、各種家電製品を一元管理し、管理の利便性と実用性を向上させることにある。
【０００５】
公知技術の課題に対して、本案の目的は、高い適応性を有し、拡張性の高いネットワーク電源制御モジュールを提供し、使用者が遠隔地でネットワークに接続して自宅またはオフィスなどの電子機器を制御するなど、環境の安全性、利便性と快適性とを向上させると共に、環境にやさしい省エネ効果を達成することにある。
【課題を解決するための手段】
【０００６】
前述の目的を達成するため、本案のネットワーク電源制御モジュールは、切り換えスイッチと、電源供給装置と、プロセッサと、を備え、エリア内にある少なくとも一つの電子機器に取り付けられ、エリア内のルータを経由して遠隔地にある制御装置に電気的に接続しておき、制御装置からの制御信号の受信によって、電子機器の稼働状態の制御を行うことができる。切り換えスイッチは第１外部電源と電子機器とに電気的に接続され、電源供給装置は第１外部電源に電気的に接続され、第１外部電源の交流電圧を直流の稼働電圧に変換する。プロセッサーはそれぞれ切り換えスイッチと電源機器に電気的に接続され、稼働電圧を取得する。プロセッサーには通信モジュールが設けられ、稼働するときは無線ネットワークまたはイーサーネット（Ethernet）経由で、自動的にルータに接続してＩＰ（Internet Protocol）アドレスを自動的に取得する。プロセッサはＵＡＲＴ（Universal Asynchronous Receiver/Transmitter）インタフェース、ＵＳＢ（Universal Serial Bus）インタフェース、オーディオ（Ａｕｄｉｏ）インタフェースとＶｏＩＰ（Voice over Internet Protocol）機能のうち少なくとも一つをサポートしており、プロセッサが通信モジュールを介して制御信号を受信すると、当該制御信号を分析して作動リクエストと作動データとを生成し、作動リクエストに従い、切り換えスイッチをトリガして、第１外部電源が電子機器に提供する電源のオンまたはオフの切り換えを制御するか、または作動リクエストに従い、ＵＡＲＴインタフェース、ＵＳＢインタフェース、オーディオインタフェース及びＶｏＩＰのいずれかを介して、作動データを実行する。
【０００７】
さらに、本案の通信モジュールにはワイヤレスアクセスポイント機能を有し、ＷＰＳ（Wi-Fi Protected Setup）と、ＤＨＣＰ（Dynamic Host Configuration Protocol）のうち、少なくとも一つの機能をサポートし、エリア内の無線ネットワークの範囲を拡大できる。電子機器が複数存在しグループ制御される場合、通信モジュールは複数内蔵され、通信モジュールのうち一つは、グループリストを内蔵し、他の通信モジュールから送られた検索信号を受信したときは、係るグループリストを参照して確認信号をフィードバックして、他の通信モジュールに自動的に接続して、同じグループにある全ての電子機器の稼働状態を一括で読み出す。
【０００８】
本案のネットワーク電源制御モジュールは、交直流変換器と、電気供給スイッチとをさらに備え、交直流変換器は、第１外部電源と電気的に接続し、第１外部電源の交流電気を直流電気に変換する。電気供給スイッチの一端は交直流変換器と電気的に接続され、トリガ端はプロセッサと電気的に接続され、プロセッサが電気供給スイッチの切り替えの作動リクエストを受信したときに、電気供給スイッチの他端より直流電圧の出力または出力中止が実行される。電気供給スイッチの一端は外部電源変換装置と電気的に接続され、外部電源変換装置は第２外部電源に電気的に接続され、第２外部電源の電圧を直流電圧に変換する。これにより電気供給の安定性が向上する。
【考案の効果】
【０００９】
本案は使用者おのおのの使用習慣に配慮し、エリア内において第１外部電源と電子機器との間に電気的に接続され、切り替えスイッチの両端部または第１外部電源と電源供給装置との間に電気的に接続されている少なくとも一つの壁スイッチが設けられ、切り替えスイッチがオフとなり第１外部電源より電子機器に電圧が出力されるときに、壁スイッチを利用して、電子機器の電気供給状態を制御できる。
【００１０】
前述のとおり、本案は家庭またはオフィスにあるルータを用いて、エリア内のネットワーク接続を統合しておき、使用者が携帯電話、コンピュータ及びＰＤＡなどパーソナル端末装置経を介して、電子機器の電気状態を制御することが可能になり、装置の集中性が向上し、使用者が自由に家庭日常事務の管理システムを構築することができる。
【図面の簡単な説明】
【００１１】
【図１】本案の好ましい実施例の第１実施態様のブロック図である。
【図２】本考案の好ましい実施例の第１実施態様の使用態様図である。
【図３】本案の好ましい実施例の第２実施態様のブロック図である。
【図４】本考案の好ましい実施例の第２実施態様の使用態様図である。
【図５】本案の好ましい実施例の第３実施態様のブロック図である。
【考案を実施するための形態】
【００１２】
本考案の内容のさらなる理解を図るため、下記の説明と図面とを組合せて、参照されたい。
【実施例】
【００１３】
図１ないし図３は、本案の好ましい実施例の各実施態様のブロック図と使用態様図とを示す。これらの図に示すように、住宅、庭またはオフィスなどのエリアにＡＤＳＬ回線が設置され、コンピュータはモデム１０により電話回線に接続され、外部のインターネットに接続するか、または有線あるいは無線ルータ１１の追加設置によって、ローカルエリアネットワークを構成し、ＬＥＤ灯、ビデオカメラ、コンピュータまたはテレビなど、エリアにある少なくとも一つの電子機器１２が互いに接続すると共に、インターネットワークに接続することもできる。本案のネットワーク電源制御モジュール２は、切り替えスイッチ２０と、電源供給装置２１と、プロセッサ２２と、交直流変換器２３と、電気供給スイッチ２４の独立モジュールとを備える。ネットワーク電源制御モジュール２は、メーカーが電子機器１２の生産工程にて直接取り付けてもよいし、使用者が購入し、いずれかの電子機器１２と電源との間に組み付けてもよい。これにより、使用者は、遠隔地で対応の応用ソフトが導入された携帯電話、コンピュータまたはＰＤＡなどの制御装置３を用いて、ＩＳＰ経由で制御信号を伝送して電子機器１２の稼働状態を監視できる。
【００１４】
切り替えスイッチ２０としては例えば、リレー、シリコン制御整流器（Silicon Controlled Rectifier，  ＳＣＲ）またはトライアック（TRI-electrode AC switch，  ＴＲＩＡＣ）が用いられ、その一端は第１外部電源１３と、他端は電子機器１２と電気的に接続され、トリガ端はプロセッサ２２と電気的に接続される。電源供給装置２１は、第１外部電源１３と、プロセッサ２２とを電気的に接続し、第１外部電源１３の交流電気を直流１２Ｖの稼働電圧に変換した上で、プロセッサ２２に出力する。プロセッサ２２には、コアチップ２２０と、通信モジュール２２１とが内蔵され、ＵＡＲＴインタフェース、ＵＳＢインタフェース、Ａｕｄｉｏインタフェース、ＶｏＩＰ機能のうち少なくとも一つの機能をサポートしている。通信モジュール２２１はＥｔｈｅｒｎｅｔネットワーク制御チップ２２１０、２．４Ｇワイヤレスネットワーク（Ｗｉ−Ｆｉ）制御チップ２２１１またはその組合せであり、有線または無線ネットワーク伝送をサポートできる。プロセッサ２２は通信モジュール２２１から制御信号を取得し、当該制御信号を分析して作動リクエストと作動データを生成して、作動リクエストに基づき、切り替えスイッチ２０によって第１外部電源１３を電子機器１２の出力または出力中止を実行させるか、作動リクエストに従い、ＵＡＲＴインタフェース、ＵＳＢインタフェース、Ａｕｄｉｏインタフェース経由またはＶｏＩＰ機能に基づき作動データを実行する。これにより、制御装置３は本案のネットワーク電源制御モジュール２を介して、ファイルデータを電子機器１２に格納することによって、バックアップするか、またはオーディオ、ビデオデータを電子機器１２に伝送して再生を実行するなど、電子機器１２の付加機能を実行し、実用性を向上できる。さらに、使用者は管理プログラムを利用し、各電子機器１２の作業スケジュールを設定し、制御装置３がルータ１１とネットワーク接続した後に、電源のオン・オフ、ＬＥＤ灯の輝度調整またはビデオカメラの録画モードなど、電子機器１２の作動態様を自動的に切り替えることができる。本実施例において、プロセッサ２２がセルフチェックと同時に電源供給装置２１の稼働状態を統合し、使用者が制御装置３を介して、稼動状態をリアルタイムに読み取った後、電気の使用状態に異常が発生したしたときは、ただちに電子機器１２の稼働状態を切断する。さらに、プロセッサ２２の温度が安全値を超えているかまたは作動に異常が発生したとき、あるいは外部電源に瞬間的な圧力差が発生したときには、切り替えスイッチ２０を作動させ、第１外部電源１３から電子機器１２への電圧出力を中止して、電気回路の部品を有効に保護する。さらに、通信モジュール２２１は無線アクセスポイントの機能を有しており、ＷＰＳ及びＤＨＣＰのうち少なくとも一つの機能をサポートし、稼働するときは図４に示すように、Ｗｉ−ＦｉまたはＥｔｈｅｒｎｅｔを介して、自動的にルータ１１に接続してＩＰアドレスを取得し、制御信号を受信すると共に、エリア内の無線ネットワーク範囲の拡張効果を実現する。電子機器１２が複数存在ししかもグループ制御される場合は、複数の通信モジュール２２１のうち一つはグループリストを内蔵しているため、もう一つの通信モジュー��２２１から送られた検索信号を受信したときは、係るグループリストを比較した後に確認信号をフィードバックして、もう一つの通信モジュール２２１に自動的に接続して、同じグループにある全ての電子機器１２の稼働状態を一括で読み出すことができる。
【００１５】
さらに、交直流変換器２３は、第１外部電源１３に電気的に接続され、第１外部電源１３の交流電圧を直流電圧に変換する。電気供給スイッチ２４の一端は交直流変換器２３に電気的に接続され、トリガ端はプロセッサ２２に電気的に接続される。これによって、プロセッサ２２が作動リクエストに基づき、切り替えスイッチ２４の切り替えをしたときに、もう一端より直流電圧を出力し、または出力を中止させる。本案は変圧器として機能し、電圧値を有する直流電圧が提供されるため、使用者が電子機器１２のエリア内における設置位置を容易に調整できるほか、多機能の経済価値を有する。
【００１６】
本案のネットワーク電源制御モジュール２においては、さらに図５に示すように、電気供給スイッチ２４の一端が外部電源変換装置４に電気的に接続され、外部電源変換装置４が第２外部電源１４に電気的に接続されており、使用者が第２外部電源１４の電圧を直流電圧に変換することで、電気供給の安定性を提供できる。エリア内には少なくとも一つの壁スイッチ５が設けられており、ネットワーク電源制御モジュール２が組み付けられていない、または起動していない場合には、使用者が直接、電子機器１２の電源状態を切り替えることができる。さらに、使用者がネットワーク電源制御モジュール２を取り付けた場合には、壁スイッチ５を第１外部電源１３と、電源供給装置２１と、切り替えスイッチ２４の両端部または第１外部電源１３と電子機器１２との間に電気的に接続しておき、切り替えスイッチ２０をオフし、第１外部電源１３より電圧を電子機器１２に出力可能な場合には、壁スイッチ５を利用し、電源線またはアース線の導通あるいは切断状態の切り替えを行い、電子機器１２の電気供給状態を制御する。
【符号の説明】
【００１７】
１０      モデム装置
１１      ルータ
１２      電子機器
１３      第１外部電源
１４      第２外部電源
２        ネットワーク電源制御モジュール
２０      切替えスイッチ
２１      電源供給装置
２２      プロセッサ
２２０    コアチップ
２２１    通信モジュール
２２１０  Ｅｔｈｅｒｎｅｔネットワーク制御チップ
２２１１  無線ネットワーク制御チップ
２３      交直流変換器
２４      電気供給スイッチ
３        制御装置
４        外部電源変換装置
５        壁スイッチ
【図１】
0003186184.tif 000003
【図２】
0003186184.tif 000004
【図３】
0003186184.tif 000005
【図４】
0003186184.tif 000006
【図５】
0003186184.tif 000007